(57)【要約】 【課題】洗面化粧台を広角度から利用することができて洗面化粧台の機能性を高めることのできる洗面化粧台を提供することを目的とする。【解決手段】  洗面化粧台３０の洗面化粧台本体３１には洗面ボウル３２とカラン３３を備える。洗面化粧台本体３１は円筒形状で上円筒部３１ａと下円筒部３１ｂとからなり回転自在に組付けられる。洗面ボウル３２は第一の排水口３２ａを備えて洗面化粧台本体３１の上円筒部３１ａに固定され第一の排水管３２ｂが下垂される。洗面ボウル３２の下方に下円筒部３１ｂに固定される排水受皿３４が第二の排水管３４ｂを備えて設けられる。カラン３３に接続する第一の給水管３３ａは洗面ボウル３２の上円筒部近傍の貫通部３１ｃを貫通し排水受皿３４の中心部３４ｃを貫通する第二の給水管３３ｂに接続される。第一の給水管３３ａと第二の給水管３３ｂの間にロータリージョイント３５が設けられる。【選択図】  図１
2007195692.tif 000002
【特許請求の範囲】
【請求項１】
洗面化粧台本体に洗面ボウルとカランを備える洗面化粧台であって、
前記洗面ボウルは第一の排水口を備えて前記洗面化粧台本体に固定されるとともに、前記洗面ボウルの下方に前記第一の排水口からの排水を受ける排水受皿が第二の排水口を備えて設けられ、
前記カランに接続する第一の給水管が前記洗面ボウルを貫通するとともに、前記排水受皿を貫通する第二の給水管にロータリージョイントを介して接続されることを特徴とする洗面化粧台。
【請求項２】
請求項１に記載の洗面化粧台であって、前記カランに接続する第一の給水管が前記洗面ボウルの中心部を貫通するとともに前記洗面ボウルの中心部に管状部が立設され、この管状部の上端に前記第一の給水管を回転可能に水密保持するスリーブ材が設けられることを特徴とする洗面化粧台。
【請求項３】
請求項１に記載の洗面化粧台であって、前記洗面化粧台本体は回転自在に組付けられる円筒形状の上円筒部と下円筒部からなり、この上円筒部に前記洗面ボウルが固定されるとともに、前記カランに接続する第一の給水管が前記洗面ボウルの前記上円筒部近傍を貫通することを特徴とする洗面化粧台。
【発明の詳細な説明】
【技術分野】
【０００１】
本発明は、ボウルとカランを備える洗面化粧台に関し、詳しくは、洗面、手洗い等の動作を広い水平角度から行える洗面化粧台の構造に関する。
【背景技術】
【０００２】
従来、洗面化粧台の据付は、洗面化粧台の背面に壁がある状態で取付けられていた。このため、使用者の背後にスペースが十分得られない場合には使用者は狭い思いをしながら洗面化粧台に向かって動作しなければならないという問題があった。
【０００３】
この問題を解決するため、従来技術として特許文献１に記載の内容が知られている。図４に示すように、ユニットルーム３には前後方向に浴槽１が配設されており、反対側スペースには出入開口部４とその奥方にトイレ２が配設されている。出入開口部４にはドア枠２１が設けられ、ドア枠２１内にスウィングドア５が回動軸部７を中心に回動自在となるように取付けられる。
【０００４】
さらに、スウィングドア５には平面形状が回動軸部７を中心とした略扇形状の洗面化粧台８がユニットルーム３の外側面に取付けられる。この洗面台に平面視同略扇形状の洗面ボウル６が形成される。洗面ボウル６の上方には洗面ボウル６に湯水を供給する給水栓２４が回動軸部７から突設して設けられる。洗面ボウル６からの汚水は回動軸部７内の排水管１０を経由してユニットルーム３下方に設けられる図示しない排水桝に導管接続して下水配管へと排出される。
【０００５】
このため、スウィングドア５のユニットルーム３外側面に設けられた洗面化粧台８の洗面ボウル６をスウィングドア５の可動領域内において自由な位置まで移動して洗面、手洗い等の作業を行うことができる。
【特許文献１】特開平９−２０１２９７号公報
【発明の開示】
【発明が解決しようとする課題】
【０００６】
ところが、上記の洗面化粧台８では略９０度の限られた水平角度の範囲しか洗面化粧台が移動できないので、洗面化粧台に対する十分な使用範囲が得られないという問題があった。
【０００７】
そこで、本発明は上記問題点を解決して、洗面化粧台をどの位置でも設置できて広角度から利用することができ、洗面化粧台の据付けスペースの有効利用や洗面化粧台の機能性を高めることのできる洗面化粧台を提供することを目的とする。
【課題を解決するための手段】
【０００８】
請求項１の発明は、洗面化粧台本体に洗面ボウルとカランを備える洗面化粧台であって、前記洗面ボウルは第一の排水口を備えて前記洗面化粧台本体に固定されるとともに、前記洗面ボウルの下方に前記第一の排水口からの排水を受ける排水受皿が第二の排水口を備えて設けられ、前記カランに接続する第一の給水管が前記洗面ボウルを貫通するとともに、前記排水受皿を貫通する第二の給水管にロータリージョイントを介して接続されることを特徴としている。
【０００９】
請求項２の発明は、請求項１に記載の洗面化粧台であって、前記カランに接続する第一の給水管が前記洗面ボウルの中心部を貫通するとともに前記洗面ボウルの中心部に管状部が立設され、この管状部の上端に前記第一の給水管を回転可能に水密保持するスリーブ材が設けられることを特徴としている。
【００１０】
請求項３の発明は、請求項１に記載の洗面化粧台であって、前記洗面化粧台本体は回転自在に組付けられる円筒形状の上円筒部と下円筒部からなり、この上円筒部に前記洗面ボウルが固定されるとともに、前記カランに接続する第一の給水管が前記洗面ボウルの前記上円筒部近傍を貫通することを特徴としている。
【発明の効果】
【００１１】
請求項１記載の発明によれば、洗面化粧台本体に洗面ボウルとカランを備える洗面化粧台であって、前記洗面ボウルは第一の排水口を備えて前記洗面化粧台本体に固定されるとともに、前記洗面ボウルの下方に前記第一の排水口からの排水を受ける排水受皿が第二の排水口を備えて設けられ、前記カランに接続する第一の給水管が前記洗面ボウルを貫通するとともに、前記排水受皿を貫通する第二の給水管にロータリージョイントを介して接続されるので、前記カランはこのロータリージョイントの働きで洗面化粧台本体の回りを３６０度回転することができる。
【００１２】
このため、使用者は前記カランを任意の位置に回転移動して使用できるので、洗面化粧台を広角度から利用することができるため利便性が向上する。洗面化粧台そのものの設置位置が自由に選べるので、洗面化粧台の据付けスペースの有効利用ができて洗面化粧台の機能性を高めることができる。
【００１３】
請求項２記載の発明によれば、請求項１に記載の洗面化粧台であって、前記カランに接続する第一の給水管が前記洗面ボウルの中心部を貫通するとともに前記洗面ボウルの中心部に管状部が立設され、この管状部の上端に前記第一の給水管を回転可能に水密保持するスリーブ材が設けられるので、前記洗面ボウルの中心部からの排水臭を遮蔽することができる。このため衛生性が確保できる。
【００１４】
また、第一の給水管が前記洗面ボウルの中心部を貫通して回転できるので、前記洗面ボウルの平面形状はどのような形状でもよく、様々な個性的な形状の洗面化粧台が製作可能なので商品価値が高まる。
【００１５】
請求項３の発明は、請求項１に記載の洗面化粧台であって、前記洗面化粧台本体は回転自在に組付けられる円筒形状の上円筒部と下円筒部からなり、この上円筒部に前記洗面ボウルが固定されので、使用者は前記カランと、前記洗面ボウルが固定される上円筒部とを一体的に任意の位置に回転移動して使用できる。
【００１６】
このため、前記洗面ボウルが回転しても使用者にとって最も相応しいデザイン形状を常に使用者側に向けることができるので品質性が向上する。また、前記カランに接続する第一の給水管が前記洗面ボウルの前記上円筒部近傍を貫通し、第一の給水管が使用者から一番遠い位置に配置されるので、前記洗面ボウルの使用領域を最大限に確保することができるため使用性能が向上する。
【発明を実施するための最良の形態】
【００１７】
＜本発明の第１の実施形態＞
以下に、本発明の第１の実施形態を図１、図２（ａ）、（ｂ）に基づいて説明する。
【００１８】
＜洗面化粧台の構成＞  
図１、図２（ａ）、（ｂ）に示すように、洗面化粧台３０の洗面化粧台本体３１には洗面ボウル３２とカラン３３を備え、カラン３３には止水栓３６が設けられる。洗面化粧台本体３１は円筒形状で上円筒部３１ａと下円筒部３１ｂとからなり、上円筒部３１ａと下円筒部３１ｂは互いが図示しない凹凸部とブッシュベアリング等により回転自在に組付けられる。また、洗面化粧台本体３１の内部の組付けやメンテナンスのために上円筒部３１ａと下円筒部３１ｂは開放可能に組付けられる
【００１９】
洗面ボウル３２は第一の排水口３２ａを備えて洗面化粧台本体３１の上円筒部３１ａに固定され、第一の排水口３２ａには第一の排水管３２ｂが下垂される。より好ましくは第一の排水管３２ｂに図示しないＳトラップを設けると水封により下流からの悪臭を遮断することができるのでさらに衛生性が向上する。
【００２０】
また、洗面ボウル３２の下方に第一の排水口３２ａからの排水を受ける排水受皿３４が洗面化粧台本体３１の下円筒部３１ｂに固定され、排水受皿３４は第二の排水管３４ｂを下垂する第二の排水口３４ａを備える。第二の排水管３４ｂは図示しない都市下水管に接続される。
【００２１】
カラン３３に接続する第一の給水管３３ａは洗面ボウル３２の上円筒部近傍の貫通部３１ｃを貫通し排水受皿３４の中心部３４ｃを貫通する第二の給水管３３ｂに接続され、第二の給水管３３ｂは図示しない市水管に接続される。なお、第二の給水管３３ｂは中心部３４ｃで水密的に固定される。
【００２２】
ここで、第一の給水管３３ａと第二の給水管３３ｂの間にロータリージョイント３５が設けられる。ロータリージョイント３５は外径Ｔ、内径Ｔ１の第一の給水管３３ａと第二の給水管３３ｂのそれぞれ開口端部Ｓ１、Ｓ２に固着される一対のカバー３５ａと、このカバー３５ａに収納される一対のブッシュベアリング３５ｂと、一対のカバー３５ａを外側から圧接固定する固定具３５ｃとから成る。
【００２３】
ブッシュベアリング３５ｂは内径Ｔ１、外形Ｔ２の環状の薄板状に形成される。カバー３５ａは環状板部Ｓ２の外縁に縁材Ｓ３を立設して成る形状であり、一対のカバー３５ａを閉じた状態で一対のカバー３５ａは厚みＴ４となり、一対のブッシュベアリング３５ｂを回転自在に圧接した状態で保持するために、一対のカバー３５ａを閉じた状態で一対の縁材Ｓ３間には隙間Ｔ３が設けられる。
【００２４】
固定具３５ｃは水平に配置された二対の細長板状のフォークＳ４の各一端部を垂直基板Ｓ５で連結し、各フォークＳ４の内法水平間隔Ｔ５、内法垂直間隔Ｔ６である。ここで、Ｔ＝Ｔ５、Ｔ４＝Ｔ６なので、固定具３５ｃによって一対のカバー３５ａを閉じた状態に押さえ込むことができる。そして、各フォークＳ４の長さＴ７はカバー３５ａを確実に保持できる長さに設定される。固定具３５ｃの先端部には固定具３５ｃを挟み込み容易にガイドするためにガイド部Ｓ６が内法垂直間隔Ｔ６よりも広幅に形成される。
【００２５】
給水Ｐと排水Ｑの流れは、矢印で示すように、給水Ｐが第二の給水管３３ｂ、ロータリージョイント３５、第一の給水管３３ａを経て、カラン３３から放出される。排水Ｑは洗面ボウル３２、第一の排水口３２ａ、第一の排水管３２ｂ、排水受皿３４、第二の排水口３４ａ、第二の排水管３４ｂを経て都市下水管に流れる。洗面化粧台３０の材質は錆難く腐食し難い、例えばステンレス材等で形成される。
【００２６】
＜洗面化粧台の作用＞
上記のように、洗面化粧台本体３１は円筒形状で上円筒部３１ａと下円筒部３１ｂが回転自在に組付けられ、さらに、第一の給水管３３ａと第二の給水管３３ｂの間にロータリージョイント３５が設けられるので、上円筒部３１ａを回転させるだけで、カラン３３及び洗面ボウル３２は洗面化粧台本体３１に対して３６０度回転可能である。
【００２７】
このため、使用者はカラン３３を任意の位置まで回転して停止できるので、洗面化粧台３０を広角度から利用することができるため洗面化粧台の利便性と機能性を高めることができる。さらに、洗面化粧台３０の設置位置が自由度に選べるので洗面化粧台の据付けスペースの有効利用ができる。
【００２８】
カラン３３に接続する第一の給水管３３ａは洗面ボウル３２の上円筒部近傍の貫通部３１ｃを貫通するので、第一の給水管３３ａが使用者から一番遠い位置に位置するため、洗面ボウル３２の使用領域を最大限に確保することができるので使用性能が向上する。
【００２９】
なお、洗面化粧台本体３１の上円筒部３１ａと下円筒部３１ｂを摺動回転した際に、第一の給水管３３ａと洗面ボウル３２の上円筒部近傍の貫通部３１ｃは互いに摺動回転するので、第一の給水管３３ａは洗面ボウル３２を貫通したままの状態でも構わないが、防臭対策上密封固定するのが好ましい。
【００３０】
＜本発明の第２の実施形態＞
本発明の第２の実施形態を図３を用いて説明するが、図１、図２に示す洗面化粧台の構成と同構成部分については、図面に同符号を付して重複した説明を省略する。
【００３１】
図３に示すように、カラン３３に接続する第一の給水管３３ａは洗面ボウル３２の中心部３２ｃを貫通し排水受皿３４の中心部３４ｃを貫通する第二の給水管３３ｂに接続される。
【００３２】
このため、カラン３３のみを回転することでカラン３３を洗面化粧台本体３１の任意の角度位置まで回転できるので、使用者は軽作業で任意位置への回転動作を実施できる。
【００３３】
洗面ボウル３２の中心部３２ｃには管状部４０が洗面ボウル３２の底面３２ｄから高さＨで立設され、第一の給水管３３ａはこの管状部４０に回転自在に挿通される。管状部４０の上端４０ａには第一の給水管３３ａを回転自在且つ水密的に保持するスリーブ材４０ｂが設けられる。
【００３４】
より好ましくは、管状部４０の高さＨを洗面ボウル３２の深さと同じ長さに形成すると、洗面ボウル３２に水を溜めて使用する際に衛生性が向上する。
【００３５】
スリーブ材は錆難く腐食し難い材料として、例えば、樹脂等が使用される。
【００３６】
以上、本発明の実施形態を図面に基づいて説明したが、上記の実施例はいずれも本発明の一例を示したものであり、本発明はこれらに限定されるべきでないということは言うまでもない。
【００３７】
たとえば、本発明の第２の実施形態によれば、洗面化粧台本体３１の形状は円筒形以外の形状を用いても構わない。排水受皿３４は洗面化粧台本体３１の下円筒部３１ｂに固定しなくても構わない。
【００３８】
洗面化粧台本体３１の内部の組付け作業は洗面化粧台本体３１の下方からもできるので洗面化粧台本体３１は一体型構造でも構わない。
【図面の簡単な説明】
【００３９】
【図１】本発明の第１の実施形態における、洗面化粧台の構造を示す側面斜視図である。
【図２】本発明の第１の実施形態における、（ａ）はロータリージョイント３５の組付け断面図、（ｂ）は図２（ａ）のＡ−Ａ断面図である。
【図３】本発明の第２の実施形態における、洗面化粧台の構造を示す側面斜視図である。
【図４】従来例における、洗面化粧台の構造を示す平面図である。
【符号の説明】
【００４０】
３０  洗面化粧台
３１  洗面化粧台本体
３１ａ  上円筒部
３１ｂ  下円筒部
３１ｃ  貫通部
３２  洗面ボウル
３２ａ  第一の排水口
３２ｂ  第一の排水管
３３  カラン
３３ａ  第一の給水管
３３ｂ  第二の給水管
３４  排水受皿
３４ｂ  第二の排水管
３４ｃ  中心部
３５  ロータリージョイント
【図１】
2007195692.tif 000003
【図２】
2007195692.tif 000004
【図３】
2007195692.tif 000005
【図４】
2007195692.tif 000006